(57)【特許請求の範囲】
【請求項１】
遊技に関する制御を行う制御基板を収容するケース体と前記ケース体を被着するカバー体とが主封止手段によって一体的に封止されてなる基板収容ボックスにおいて、
前記ケース体と前記カバー体を被着したときに前記主封止手段とは異なる補助封止手段を備えて、
前記補助封止手段は、前記ケース体及び前記カバー体にそれぞれ外方に突出するケース体突出部及びカバー体突出部を設け、前記ケース体と前記カバー体を被着したときに前記ケース体突出部及び前記カバー体突出部により突出封止部が形成され、前記突出封止部を巻き付け可能な巻着部材で巻着することにより前記ケース体と前記カバー体が封止されるとともに、前記突出封止部の先端側の少なくとも一部に前記巻着部材が前記突出封止部に巻着した状態から脱落することを防止するための脱落防止部を形成し、
前記突出封止部に前記巻着部材が埋没可能な凹部が形成されているとともに、前記突出封止部に形成された凹部の溝幅と前記巻着部材の幅とが略同一であることを特徴とする遊技機の基板収容ボックス。
【請求項２】
前記ケース体突出部又は前記カバー体突出部の少なくとも一方に空洞部が形成されており、該空洞部に他方が嵌合されるように構成されていることを特徴とする請求項１に記載の遊技機の基板収容ボックス。
【請求項３】
前記突出封止部が少なくとも対角線上の２箇所に形成されていることを特徴とする請求項１又は２に記載の遊技機の基板収容ボックス。
【請求項４】
前記突出封止部に巻着された巻着部材は当該巻着部材を破壊しない限り突出封止部から取り外すことが不可能であることを特徴とする請求項１ないし３のいずれか１項に記載の遊技機の基板収容ボックス。
【請求項５】
前記主封止手段にはケース体封止部とカバー体封止部とからなる主封止部が形成され、かつ前記主封止部を封止状態で締着するための封止部材を備えたことを特徴とする請求項１ないし４のいずれか１項に記載の遊技機の基板収容ボックス。
【請求項６】
前記ケース体封止部と前記カバー体封止部の少なくとも一方は切断可能とされ、前記封止部材による前記主封止部の締着後は、前記切断可能な前記ケース体封止部と前記カバー体封止部の少なくとも一方の切断によってのみ前記封止状態が解除可能に構成されていることを特徴とする請求項５に記載の遊技機の基板収容ボックス。
【発明の詳細な説明】
【０００１】
【発明の属する技術分野】
この発明は、パチンコ遊技機等の遊技機に使用する基板収容ボックスに関するものである。
【０００２】
【従来の技術】
従来、パチンコ遊技機等の遊技機は、ＣＰＵ，ＲＯＭ，ＲＡＭその他の電子部品が装着された主制御基板、表示制御基板、払出制御基板等の制御基板を収容する基板収容ボックスを遊技盤に備えている。前記基板収容ボックスは、制御基板を収容するケース体と前記ケース体を被着するカバー体とからなり、前記ケース体及びカバー体が互いに合着封止されている。
【０００３】
前記基板収容ボックスにあっては、当該基板収容ボックスの封止状態が不正に解除され、内部に収容されている前記制御基板に不正目的のデータを保持したＲＯＭ等を取り付けるような人為的な不正行為が行われる可能性があった。そこで、遊技店は、不正行為が行われたか否かを確認する手段として、前記基板収容ボックスに対し当該基板収容ボックス全体を取り囲むように結束バンド等の巻着部材を巻き付け、この巻着部材が切断されているか否かを確認することにより、不正が行われているか否かを判断していた。さらに、制御基板が収容された基板収容ボックスを巻着部材により掛装し、当該巻着部材を弛み外し操作が不可能な締付け専用タイプのビスにより遊技盤に対して取り付け固支したものもある（特許文献１参照）。
【０００４】
しかしながら、従来の不正行為の確認手段は、基板収容ボックス全体を巻着部材で取り囲むものあるいは掛装するものであるため、その巻着部材の長さはかなり長くなってしまい、遊技店による取り付け作業は手間がかかるものであった。また、巻着部材を継ぎ足して使用している場合には、当該巻着部材同士の継ぎ目を切断し再接着することが可能となるため、遊技店による不正の発見が困難なものとなっていた。さらには、前記の基板収容ボックスを取り囲むように巻き付けた結束バンドにあっては、巻着部材を基板収容ボックスに巻き付けるというその取り付け形態から、巻着部材が基板収容ボックスから引き抜かれるおそれもあるため、不正確認は必ずしも確実とはいえなかった。
【０００５】
【特許文献１】
特開平１０−２３４９８０号公報（第２、３頁）
【０００６】
【発明が解決しようとする課題】
この発明は、前記の点に鑑みなされたもので、遊技機の制御基板が収容される基板収容ボックスが封止され不正行為が施されていないことが容易にかつ確実に確認できる遊技機の基板収容ボックスを提供するものである。
【０００７】
【課題を解決するための手段】
すなわち、請求項１の発明は、遊技に関する制御を行う制御基板を収容するケース体と前記ケース体を被着するカバー体とが主封止手段によって一体的に封止されてなる基板収容ボックスにおいて、前記ケース体と前記カバー体を被着したときに前記主封止手段とは異なる補助封止手段を備えて、前記補助封止手段は、前記ケース体及び前記カバー体にそれぞれ外方に突出するケース体突出部及びカバー体突出部を設け、前記ケース体と前記カバー体を被着したときに前記ケース体突出部及び前記カバー体突出部により突出封止部が形成され、前記突出封止部を巻き付け可能な巻着部材で巻着することにより前記ケース体と前記カバー体が封止されるとともに、前記突出封止部の先端側の少なくとも一部に前記巻着部材が前記突出封止部に巻着した状態から脱落することを防止するための脱落防止部を形成し、前記突出封止部に前記巻着部材が埋没可能な凹部が形成されているとともに、前記突出封止部に形成された凹部の溝幅と前記巻着部材の幅とが略同一であることを特徴とする遊技機の基板収容ボックスに係る。
【０００８】
請求項２の発明は、前記ケース体突出部又は前記カバー体突出部の少なくとも一方に空洞部が形成されており、該空洞部に他方が嵌合されるように構成されていることを特徴とする請求項１に記載の遊技機の基板収容ボックスに係る。
【０００９】
請求項３の発明は、前記突出封止部が少なくとも対角線上の２箇所に形成されていることを特徴とする請求項１又は２に記載の遊技機の基板収容ボックスに係る。
【００１０】
請求項４の発明は、前記突出封止部に巻着された巻着部材は当該巻着部材を破壊しない限り突出封止部から取り外すことが不可能であることを特徴とする請求項１ないし３のいずれか１項に記載の遊技機の基板収容ボックスに係る。
【００１１】
請求項５の発明は、前記主封止手段にはケース体封止部とカバー体封止部とからなる主封止部が形成され、かつ前記主封止部を封止状態で締着するための封止部材を備えたことを特徴とする請求項１ないし４のいずれか１項に記載の遊技機の基板収容ボックスに係る。
【００１２】
請求項６の発明は、前記ケース体封止部と前記カバー体封止部の少なくとも一方は切断可能とされ、前記封止部材による前記主封止部の締着後は、前記切断可能な前記ケース体封止部と前記カバー体封止部の少なくとも一方の切断によってのみ前記封止状態が解除可能に構成されていることを特徴とする請求項５に記載の遊技機の基板収容ボックスに係る。
【００１３】
【発明の実施の形態】
以下添付の図面に従ってこの発明を詳細に説明する。
図１はこの発明の一実施例に係る遊技機全体の正面図、図２は同遊技機全体の裏面図、図３は基板収容ボックスの斜視図、図４は図３の矢印４部分を示す拡大図、図５は封止部材が主封止部に挿入された状態を示す横断面図、図６は基板収容ボックスの上面図、図７は巻着部材締着前における図３の矢印７部分と巻着部材を示す拡大図、図８は図６のＸ−Ｘ線の位置で切断した巻着部材を締着した状態の断面図、図９は図６のＹ−Ｙ線の位置で切断した巻着部材を締着した状態の断面図、図１０は巻着部材が締着された突出封止部の他の実施例を示す断面図、図１１は図３の矢印１１部分を示す拡大図、図１２は突出封止部の他の実施例を示す斜視図である。
【００１４】
図１に示す遊技機１は、枠体２の内側に遊技盤３が着脱交換可能に収容されており、その遊技盤３に遊技球の外側誘導レール４及び内側誘導レール５が略円形に立設され、遊技盤３の前記外側誘導レール４と内側誘導レール５によって囲まれた遊技領域６の中心線上にその上部から下部に向かって順に画像表示装置９、普通電動役物である第１種始動入賞口１０、特別電動役物である大入賞口１５、アウト口（排出口とも称される。）１７が配設され、また上方両側にはランプ風車１８ａ，１８ｂ、その下方に普通図柄変動開始用左ゲート１９と普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。
【００１５】
また、前記枠体２の前面側には、払い出された遊技球を受け、遊技者の発射操作に応じて遊技球を遊技盤３の遊技領域６に向けて発射する発射装置Ｈ及び当該発射装置Ｈに遊技球を供給する上側遊技球貯留皿３１、前記上側遊技球貯留皿３１の飽和時に遊技球を受けるための下側遊技球貯留皿３２、遊技状態を報知するランプ表示器３３，３４、音声や効果音を発して遊技状態を遊技者に報知するスピーカ８がそれぞれ組み付けられている。
【００１６】
図中の画像表示装置９は、液晶表示盤（ドットマトリックス表示器）等の画像表示部からなる図柄表示装置であり、図示はしないが特別図柄及び普通図柄が表示される。前記図柄表示装置を構成する画像表示部は、前記のような液晶表示盤に限られるものではなく、ＬＥＤ、ＥＬ、ＣＲＴやその他発光体で構成されていてもよい。
【００１７】
図２に示すように、弾球遊技機１の遊技盤の裏面側には、該遊技盤の前面側に配設された前記画像表示装置９の画像表示部への図柄等の表示制御を行う図柄制御基板５７、同じく遊技盤の前面側である遊技領域６に配設された入賞口に入球した遊技球を集合させる集合路を有する集合板（図示せず）が設けられている。
【００１８】
また、図２の符号４０は遊技球を貯留する貯留タンク、４１はタンクレール、４２は枠用外部出力端子基板、４３はランプ中継基板、４４は受電基板、４５は賞球センサ中継基板、４６は盤面用外部出力端子基板、４７は中継基板、４８は音声制御基板、４９はＦＧ中継基板、５０は主制御基板、５１は電源基板、５２はランプ制御基板、５３は払出制御基板、５４は発射装置制御基板、５５はカードインターフェイス接続部、５６は電源プラグ、５７は図柄制御基板、Ｇは接地線、６０は基板収容ボックス、９５は後述する突出封止部である。前記主制御基板５０は基板収容ボックス６０内に封入される。
【００１９】
図３ないし図１２を用い、基板収容ボックス６０の構造及び作用について説明する。実施例において前記基板収容ボックス６０は、遊技に関する制御を行う主制御基板を収容するケース体６１と前記ケース体６１を被着するカバー体６２とが主封止手段７０によって一体的に封止されたものである。
【００２０】
図３は基板収容ボックス６０を遊技機から取り外した状態を示す斜視図であり、ケース体６１にカバー体６２が被着されることにより合着したものである。前記基板収容ボックス６０は内部に各種制御基板を収容するものであり、この実施例においては主制御基板を収容している。また、基板収容ボックス６０は、前記ケース体６１がカバー体６２に被着されたときに両者が合着する部分に主封止手段７０が形成されており、当該主封止手段７０によって一体に合着封止されている。
【００２１】
前記主封止手段７０は、例えば、特許３０２４９５０号公報に記載されたものが挙げられ、図３及び図４の拡大図からも明らかなように、ケース体６１の左右両側面に設けられたケース体封止部７１とカバー体６２の左右両側面に設けられたカバー体封止部７２とからなる主封止部７５と、カバー体封止部７２近傍に立設した封止部材８５とを備えるものであり、ケース体６１にカバー体６２を被着させたときに当該ケース体６１とカバー体６２とを封止状態で締着するためのものである。前記封止部材８５は、ケース体６１がカバー体６２に被着されて主封止部７５が形成された状態において、ケース体封止部７１の複数の封止部材取付部７６から選択された１ヶ所の封止部材取付部７６の挿入孔７７に挿入され、ねじ回し等の工具を用いて叩き込まれる。図５は挿入孔７７に封止部材８５を挿入した状態を示す横断面図であるが、封止部材本体部８６はその先端部分に溝部８７が周設され、封止部材固定部８０及びさらにその奥に設置される金属板８２には、前記封止部材８５の先端部分が挿入される孔部８１，８３が設けられている。前記金属板の孔部８３周囲には前記溝部８７に係留する凸片８４が設けられているため、凸片８４が溝部８７にはまりこむことによって、前記封止部材８５が封止部材取付部７６から抜け落ちることがない。前記主封止部７５は、ケース体封止部７１とカバー体封止部７２の少なくともいずれか一方は切断可能に構成されており、前述のように封止部材８５による主封止部７５の締着後は、前記切断可能な当該封止部の切断によってのみ前記封止状態が解除可能となっている。この実施例では、ケース体の切断用連結部７９（図４に図示）をニッパー等の切断用工具により切断することによってのみ基板収容ボックス６０の封止状態が解除されケース体６１及びカバー体６２の分離が可能となるように構成されている。なお、封止部材８５は左右それぞれの主封止部７５に対して１本ずつ使用されるため、封止部材８５の使用本数や切断回数により封止及び開封の回数が確認される。
【００２２】
また、基板収容ボックス６０には、前記した主封止手段７０とは異なるさらなる封止手段として、補助封止手段が設けられている。前記補助封止手段は、ケース体突出部９１とカバー体突出部９２とからなる突出封止部９５と、後述する突出封止部９５を巻き付け可能な巻着部材１００とから構成される。前記突出封止部９５は、図６の上面図から理解されるように、基板収容ボックス６０に対して対角線上の位置（図中の破線で示す位置）に少なくとも２箇所形成されている。対角線上に前記突出封止部９５を配置することにより、基板収容ボックス６０が開封されにくく、ケース体６１とカバー体６２の合着封止及びその確認がより確実なものとなるため好ましい。図の符号７０は主封止手段、８５は封止部材、１１０は後述するケース体側の突部、１１１はカバー体側の突部である。
【００２３】
図７は補助封止手段９０を示す拡大図であり、図は突出封止部９５に巻着部材１００を完全に巻着する前の状態を表すものである。図から理解されるように、ケース体６１にはケース体突出部９１が、カバー体６２にはカバー体突出部９２が、それぞれ基板収容ボックス６０の外方に突出するように設けられる。そして、ケース体６１にカバー体６２を被着させたときに前記ケース体突出部９１とカバー体突出部９２はそれぞれ組み合わされて突出封止部９５が形成される。前記ケース体突出部９１及びカバー体突出部９２は、この実施例では、図７，図８，図９から明らかなように、ケース体突出部９１がカバー体突出部９２に比して大きく形成され、該ケース体突出部９１のカバー体突出部９２に対向する面には空洞部９３が形成されている。そして、Ｘ−Ｘ線における断面図を図８に示しており、ケース体突出部９１は当該ケース体突出部９１の空洞部９３にカバー体突出部９２の下側がはめ込まれるようにして嵌合されている。前記空洞部９３はケース体突出部９１に限らず、ケース体突出部９１又はカバー体突出部９２の少なくとも一方に形成されていればよく、カバー体突出部９２に形成され当該カバー体突出部９２の空洞部９３にケース体突出部９１が嵌合されるものとしてもよい。なお、この実施例はケース体突出部９１、カバー体突出部９２の両方に空洞部分が形成されたものである。
【００２４】
前記ケース体突出部９１及びカバー体突出部９２とからなる突出封止部９５には結束バンド等の巻着部材１００が巻着される。図７は巻着部材１００をケース体突出部９１及びカバー体突出部９２に対して完全に巻着する前の状態であり、この実施例の巻着部材１００である結束バンドは、当該結束バンドのバンド部１０１が貫通する係合部１０３を押さえながらバンド部１０１の端部１０２を引っ張ることにより前記突出封止部９５を一体に巻着するものである。前記突出封止部９５を巻着部材１００が一体に巻着してなる補助封止手段９０は、前記ケース体６１と前記カバー体６２の合着封止が維持されているか否かを確認するためのものであり、巻着部材１００が取り外された形跡がない場合には、基板収容ボックス６０が一度も開封されておらず、前記ケース体６１と前記カバー体６２との合着封止状態が適正に維持されていることが確認される。前記巻着部材１００は、この実施例のように、当該巻着部材１００を破壊しない限り突出封止部９５から取り外すことが不可能であるように構成される。実施例の巻着部材１００である結束バンドの係合部１０３は、バンド部１０１の端部１０２を引っ張る方向にはバンド部１０１を移動させることが可能であるが、逆方向には移動不可能とするように構成されている。したがって、前記結束バンドは、突出封止部９５を巻着した状態から係合部１０３を弛めて突出封止部９５から取り外すことができず、ケース体６１とカバー体６２の分離は不可能となる。
【００２５】
そして、前記突出封止部９５の先端側の少なくとも一部には前記巻着部材１００が前記突出封止部９５に巻着した状態から脱落することを防止する脱落防止部９６が形成されている。すなわち、前記脱落防止部９６は、前記突出封止部９５を構成するケース体突出部９１とカバー体突出部９２において、ケース体突出部９１の先端側及びカバー体突出部９２の先端側のそれぞれに対して形成されている。この脱落防止部９６が形成されたことにより、巻着部材１００がケース体突出部９１及びカバー体突出部９２に巻かれた状態のままで抜け落ちてしまうことが防止される。
【００２６】
図９はケース体突出部９１及びカバー体突出部９２のＹ−Ｙ線における縦断面を表すものであり、図は前記突出封止部９５に巻着部材１００を完全に巻着した状態を示すものである。この実施例では、脱落防止部９６が突出封止部９５、すなわちケース体突出部９１及びカバー体突出部９２の突出方向に対して略垂直方向に突設する凸部Ｐとして形成されている。このため、巻着部材１００がケース体突出部及９１びカバー体突出部９２から外方に脱落するにはこの脱落防止部９６である凸部Ｐを乗り越えなくてはならず、ケース体突出部９１及びカバー体突出部９２に巻着部材１００が巻着された状態をより確実に維持することができる。また、この実施例では、突出封止部９５に巻着された巻着部材１００の厚みと前記脱落防止部９６の凸部Ｐの高さとが等しく、前記巻着部材１００と脱落防止部９６とが略平面を形成しているため、ケース体突出部９１と巻着部材１００との隙間あるいはカバー体突出部９２と巻着部材１００との隙間にニッパー等の切断用工具を入れて巻着部材１００を切断することが困難となる。
【００２７】
図１０は、突出封止部９５の他の実施例を示すものであり、図は縦断面図である。この実施例では、突出封止部９５Ａを構成するケース体突出部９１Ａ及びカバー体突出部９２Ａに巻着部材１００が埋没可能な凹部Ｑが形成されており、凹部Ｑの溝幅と当該凹部Ｑに埋没した巻着部材１００の幅が略同一となるように構成されている。このような構成により、ケース体突出部９１Ａと巻着部材１００との隙間あるいはカバー体突出部９２Ａと巻着部材１００との隙間を減少させることができ、ニッパー等の切断用工具を入れて巻着部材１００を切断することをより困難とすることができる。
【００２８】
また、この基板収容ボックス６０は、図３及び図１１の拡大図に示すように、前記ケース体突出部９１及びカバー体突出部９２の他に、封止確認を目的とするさらなる突部１１０，１１１を設けてもよい。図の突部１１０，１１１は、前記ケース体６１及びカバー体６２のそれぞれに形成され、当該ケース体６１にカバー体６２を被着させた際に対応する位置にケース体突出部１１０及びカバー体突出部１１１の突出方向に対して略垂直方向に立設されており、この実施例では基板収容ボックス６０に対して対角線上にそれぞれ２箇所設けられている（図１１参照）。両突部１１０，１１１には、図１１の拡大図から特に理解されるように、前記ケース体６１にカバー体６２を被着させた際に当該両突部１１０，１１１を貫通可能となるようにそれぞれ孔部１１２，１１３が形成されている。この孔部１１２，１１３には、図の実施例のように、錠前１１５をはじめとする各種の錠を取り付けることができる。両突部１１０，１１１に錠前１１５が施錠されていることを視覚的に確認することにより、ケース体６１とカバー体６２とが合着封止されていることの確実性がよりいっそう向上するとともに、前記基板収容ボックス６０に封止を確認するための部分が補助封止手段９０と合わせて設けられることで、不正行為をはたらく者に対して当該基板収容ボックス６０の封止を解除するのに時間を要すると思わせることができ、不正行為の抑止にもつながる。なお、図の実施例では錠前１１５を使用しているが、前出の巻着部材１００である結束バンド等、適宜使用可能である。
【００２９】
図１２は、この発明の突出封止部９５の他の実施例を示すものである。突出封止部９５Ｂを構成するケース体突出部９１Ｂ及びカバー体突出部９２Ｂは、ケース体にカバー体６２が被着されたときに必ずしも互いに係合するものでなく、図のように両者が接触せずに離れた位置に設置されていてもよい。図１２の符号９６Ｂは、他の実施例の突出封止部９５Ｂにおける脱落防止部である。図１２において、前出の図６と同一の符号は同一の部材を示す。
【００３０】
なお、本発明は、上記実施例に限定されるものではなく、発明の趣旨を逸脱しない範囲において構成の一部を適宜に変更して実施することができる。例えば、上記実施例の突出封止部はケース体突出部とカバー体突出部とが略平行に突出したものであるが、ケース体突出部とカバー体突出部とが交差したもの、あるいはケース体突出部先端側とカバー体突出部先端側とが互いに離れる方向に突出したもの等が考えられ、巻着部材が巻着され脱落することがなく、基板収容ボックスの補助封止としての働きを担うものであればその構造はいかなるものであっても構わない。また、実施例では、パチンコ遊技機の基板収容ボックスとして説明したが、この他にスロットマシン、アレンジボール等の各種遊技機の基板収容ボックスとしても適用し得る。
【００３１】
【発明の効果】
以上図示し説明したように、請求項１の発明に係る遊技機の基板収容ボックスによれば、基板収容ボックスにおいて、主封止手段とは異なる補助封止手段を設け、前記補助封止手段は、ケース体及びカバー体にそれぞれ外方に突出するケース体突出部及びカバー体突出部を設け、前記ケース体と前記カバー体を被着したときに前記ケース体突出部及び前記カバー体突出部により突出封止部が形成され、前記突出封止部を巻き付け可能な巻着部材で巻着することにより前記ケース体と前記カバー体が封止されるとともに、前記突出封止部の先端側の少なくとも一部に前記巻着部材が前記突出封止部に巻着した状態から脱落することを防止する脱落防止部を形成したものであるため、基板収容ボックス全体に巻着部材を巻着する場合に比して、基板収容ボックスに対する巻着部材の巻着が容易になるだけでなく、巻着部材が外れにくくなり、巻着部材が破壊もしくは損失しているような場合には、基板収容ボックス内に収容されている制御基板に不正行為が施されていることが容易にかつ確実に確認することが可能である。
【００３２】
加えて、請求項１の発明に係る基板収容ボックスによれば、突出封止部に巻着部材が埋没可能な凹部が形成されているとともに、突出封止部に形成された凹部の溝幅と巻着部材の幅とが略同一であるため、突出封止部と巻着部材との隙間にニッパー等の切断用工具を入れて巻着部材を切断することが困難となり、突出封止部に巻着部材が巻着された状態をより確実に維持することが可能となり、基板収容ボックス内の制御基板に対する不正行為の防止を強化することができる。
【００３３】
請求項２の発明に係る基板収容ボックスによれば、ケース体突出部又はカバー体突出部の少なくとも一方に空洞部が形成されており、該空洞部に他方が嵌合されるように構成されているため、ケース体がカバー体に被着されたときにケース体突出部とカバー体突出部とが密接に係合することにより、ケース体とカバー体の封止状態を強固なものにすることが可能となる。
【００３４】
請求項３の発明に係る基板収容ボックスによれば、前記突出封止部が少なくとも対角線上の２箇所に形成されていることから、不正行為を行おうとする者に対し基板収容ボックスを開封して不正行為を施すのに時間を要すると思わせることで不正行為の防止につながると同時に、ケース体とカバー体の取り付けを強化することによってケース体とカバー体の封止状態をよりいっそう強固なものにすることができる。
【００３５】
請求項４の発明に係る基板収容ボックスによれば、突出封止部に巻着された巻着部材が巻着部材を破壊しない限り突出封止部から取り外すことが不可能であることから、不正行為の形跡が明確に残るため、不正行為の迅速な発見に貢献することができる。
【００３６】
請求項５の発明に係る基板収容ボックスによれば、主封止手段にはケース体封止部とカバー体封止部とからなる主封止部が形成され、主封止部を封止状態で締着するための封止部材を備えたものであるため、基板収容ボックスの封止作業が確実かつ的確に実施することができると同時に、基板収容ボックスの開封を困難なものとし、不正行為の防止を強化することが可能となる。
【００３７】
請求項６の発明に係る基板収容ボックスによれば、ケース体封止部とカバー体封止部の少なくとも一方は切断可能とされ、封止部材による主封止部の締着後は、切断可能な前記ケース体封止部と前記カバー体封止部の少なくとも一方の切断によってのみ封止状態が解除可能に構成されていることから、基板収容ボックスの開封を困難なものとするとともに、必要により開封されたときの証拠を残すことができ、仮に不正行為が行われた場合にも、発見を容易なものとすることができる。
【図面の簡単な説明】
【図１】この発明の一実施例に係る遊技機全体の正面図である。
【図２】同遊技機全体の裏面図である。
【図３】基板収容ボックスの斜視図である。
【図４】図３の矢印４部分を示す拡大図である。
【図５】封止部材が主封止部に挿入された状態を示す横断面図である。
【図６】基板収容ボックスの上面図である。
【図７】巻着部材締着前における図３の矢印７部分と巻着部材を示す拡大図である。
【図８】図６のＸ−Ｘ線の位置で切断した巻着部材を締着した状態の断面図である。
【図９】図６のＹ−Ｙ線の位置で切断した巻着部材を締着した状態の断面図である。
【図１０】巻着部材が締着された突出封止部の他の実施例を示す断面図である。
【図１１】図３の矢印１１部分を示す拡大図である。
【図１２】突出封止部の他の実施例を示す斜視図である。
【符号の説明】
１  遊技機
５０  制御基板
６０  基板収容ボックス
６１  ケース体
６２  カバー体
７０  主封止手段
７１  ケース体封止部
７２  カバー体封止部
７５  主封止部
８５  封止部材
９０  補助封止手段
９１  ケース体突出部
９２  カバー体突出部
９３  空洞部
９５  突出封止部
９６  脱落防止部
１００  巻着部材
Ｐ  凸部
Ｑ  凹部
【図１】
0003616629.tif 000002
【図２】
0003616629.tif 000003
【図３】
0003616629.tif 000004
【図４】
0003616629.tif 000005
【図５】
0003616629.tif 000006
【図６】
0003616629.tif 000007
【図７】
0003616629.tif 000008
【図８】
0003616629.tif 000009
【図９】
0003616629.tif 000010
【図１０】
0003616629.tif 000011
【図１１】
0003616629.tif 000012
【図１２】
0003616629.tif 000013